(57)【特許請求の範囲】
【請求項１】
ベビーカー本体に装着して用いられるベビーカーの幌であって、
逆Ｕ字状に湾曲された少なくとも３本の幌骨を有し、少なくとも最も後方の幌骨が可撓性を有する部材によって構成されており、該最も後方に位置する幌骨よりも前方の幌骨近傍の幌布に、前記最も後方の幌骨の湾曲した上部が挿入されて保持される保持部が設けられていることを特徴とするベビーカーの幌。
【請求項２】
前方から２本の幌骨を最も後方の幌骨よりも可撓性の小さい部材によって形成し、前記前方から２本目の幌骨近傍の幌布に保持部を設けたことを特徴とする請求項１記載のベビーカーの幌。
【請求項３】
最も後方の幌骨の両端部は、枢着されることなく幌布内に保持されていることを特徴とする請求項１又は２記載のベビーカーの幌。
【請求項４】
前記最も後方の幌骨は断面が円形の線状部材によって形成されていることを特徴とする請求項１乃至３のいずれか一項に記載のベビーカーの幌。
【請求項５】
前記保持部は、上部が閉止され下方が開口したポケットであることを特徴とする請求項１乃至４のいずれか一項に記載のベビーカーの幌。
【請求項６】
請求項１乃至５のいずれかに記載のベビーカーの幌が取り付けられていることを特徴とするベビーカー。
【発明の詳細な説明】
【技術分野】
【０００１】
本発明は、ベビーカー本体に装着されるベビーカーの幌に関し、特に幌骨間の角度を変えることにより幌の開き具合を変えることができるベビーカーの幌、及び該幌が取り付けられたベビーカーに関する。
【背景技術】
【０００２】
幌骨間の角度を変えて幌の開き具合を変えることができるようにした幌の場合、幌を完全な展開状態でなく展開面積が狭い状態で使用するとき幌布がたるむという問題があった。
そこで、展開面積が狭い状態においても幌布が緊張状態に保持されるようにしたベビーカーの幌が特許文献１に開示されている。
【０００３】
特許文献１に開示されたベビーカーの幌は、「ベビーカー本体に装着して用いられ、逆Ｕ字状に屈曲された複数の幌骨の一対の開放側先端部をそれぞれ互いに枢着し、上記幌骨間の角度を変えることにより幌の開き具合を変えるようにしたベビーカーの幌において、上記幌骨間に張設された幌布のうち一つの幌骨の取り付け部位に近接した部分と、前記幌布のうち他の幌骨の取り付け部位に近接した部分とに、互いに連結可能な一対の連結具を設けたことを特徴とする。」ものである。
特許文献１に開示されたものでは、互いに連結可能な一対の連結具として、バックル、ホック、面ファスナ、紐等が例示されている。
【先行技術文献】
【特許文献】
【０００４】
【特許文献１】特許4184071号公報
【発明の概要】
【発明が解決しようとする課題】
【０００５】
しかしながら、連結可能な一対の連結具では、例えば幌を一部閉じた状態つまり展開面積が狭い状態から幌を全展開状態にするときには、連結具の連結を外し、さらに幌を展開するという２段階の操作が必要となる。また、バックル等の場合には連結自体を外すのが面倒であるという問題もある。
【０００６】
本発明はかかる課題を解決するためになされたものであり、幌を全展開状態にする際の操作を円滑にできるベビーカーの幌、及び該幌が取り付けられたベビーカーを得ることを目的としている。
【課題を解決するための手段】
【０００７】
（１）本発明に係るベビーカーの幌は、ベビーカー本体に装着して用いられるベビーカーの幌であって、逆Ｕ字状に湾曲された少なくとも３本の幌骨を有し、少なくとも最も後方の幌骨が可撓性を有する部材によって構成されており、該最も後方に位置する幌骨よりも前方の幌骨近傍の幌布に、前記最も後方の幌骨の湾曲した上部が挿入されて保持される保持部が設けられていることを特徴とするものである。
【０００８】
（２）また、上記（１）に記載のものにおいて、前方から２本の幌骨を最も後方の幌骨よりも可撓性の小さい部材によって形成し、前記前方から２本目の幌骨近傍の幌布に保持部を設けたことを特徴とするものである。
【０００９】
（３）また、上記（１）又は（２）に記載のものにおいて、最も後方の幌骨の両端部は、枢着されることなく幌布内に保持されていることを特徴とするものである。
【００１０】
（４）また、上記（１）乃至（３）のいずれかに記載のものにおいて、前記最も後方の幌骨は断面が円形の線状部材によって形成されていることを特徴とするものである。
【００１１】
（５）また、上記（１）乃至（４）のいずれかに記載のものにおいて、前記保持部は、上部が閉止され下方が開口したポケットであることを特徴とするものである。
【００１２】
（６）本発明に係るベビーカーは、上記（１）乃至（５）のいずれかに記載のベビーカーの幌が取り付けられていることを特徴とするものである。
【発明の効果】
【００１３】
本発明においては、逆Ｕ字状に湾曲された少なくとも３本の幌骨を有し、少なくとも最も後方の幌骨が可撓性を有する部材によって構成されており、該最も後方に位置する幌骨よりも前方の幌骨近傍の幌布に、前記最も後方の幌骨の湾曲した上部が挿入されて保持される保持部が設けられている幌を全展開状態にする際の操作を円滑にできる。
【図面の簡単な説明】
【００１４】
【図１】本発明の一実施の形態に係るベビーカーの幌をベビーカー本体に取り付けた状態を示す図である。
【図２】本発明の一実施の形態に係るベビーカーの幌を全展開にした状態を背面側から見た図である。
【図３】本発明の一実施の形態に係るベビーカーの幌を全展開にした状態を側面から見た図である。
【図４】本発明の一実施の形態に係るベビーカーの幌を半展開にした状態を側面からみた図である。
【図５】本発明の一実施の形態に係るベビーカーの幌を全展開から半展開に、あるいは半展開から全展開状態にする途中の状態を示す図である。
【図６】本発明の一実施の形態に係るベビーカーの幌を全展開状態から半展開状態に、あるいは半展開状態から全展開状態にする途中の状態を示す図である。
【図７】本発明の一実施の形態に係るベビーカーの幌の支持機構の説明図である。
【図８】本発明の一実施の形態に係るベビーカーの幌の支持機構の説明図である。
【図９】本発明の一実施の形態に係るベビーカーの幌が取り付けられるベビーカー本体の説明図である。
【発明を実施するための形態】
【００１５】
本実施の形態のベビーカーの幌１は、ベビーカー本体２に装着して用いられ、逆Ｕ字状に湾曲された第１幌骨３、第２幌骨５、第３幌骨７を有し、最も後方にある第３幌骨７のすぐ前方にある第２幌骨５の湾曲部に、第３幌骨７の湾曲した上部が挿入されて保持される保持部９が設けられていることを特徴とするものである。
以下詳細に説明する。
【００１６】
＜ベビーカー本体＞
本実施の形態のベビーカー本体２、特にその骨組み構造を図９に基づいて説明する。
本実施の形態のベビーカー本体２は、前輪１１を有する左右一対の前脚１３、後輪１５を有する左右一対の後脚１７、ほぼ逆Ｕ字状に屈曲された手押し杆１９、左右一対のアームレスト２１、及びそのアームレスト２１の間に掛け渡されたガードアーム２３、乳幼児が座るためのシートを支持するシート枠２５、乳幼児の背中を支持する背面支持枠２７、さらには幌１を取り付けるための幌取付部２８が設けられた幌取り付け杆２９によって構成されている
【００１７】
図９に示した本実施の形態のベビーカーの骨組みにおいて、骨組み部材に記載した丸印は関節を示しており、関節で折り曲げることができるようになっている。つまり、本実施の形態のベビーカーは、前輪と後輪を近づける方向（前後方向）に折りたためると共に、前輪同士および後輪同士を近づける方向（幅方向）に折りたためるようになっている。
【００１８】
上記のようなベビーカー本体２は、図９の二点鎖線で示すように、手押し杆１９がその基端部を軸として回動して、手押し杆１９が背面支持枠２７側とガードアーム２３側とに傾斜した状態で配置できるようになっている。
【００１９】
＜幌＞
幌１は、３本の幌骨と、幌布３０と、支持機構３１と、保持部９を備えている。
〔幌骨〕
幌骨は、逆Ｕ字状に屈曲されて最も前方に配置された第１幌骨３と、その後方に配置された第２幌骨５と、さらに後方に配置された第３幌骨７の３本の幌骨を有している。
第１幌骨３と第２幌骨５の両端部は、互いの角度が調整できるように支持機構３１に取り付けられている。より具体的には、第２幌骨５が支持機構３１に固定され、第１幌骨３の端部が支持機構３１に回動可能に取り付けられている。
第１幌骨３、第２幌骨５は、図６、図７に示すように、断面が矩形の樹脂によって形成されている。樹脂であるのである程度の可撓性を有しているが、後述する断面が円形の第３幌骨よりも可撓性は低い。
第１幌骨３と第２幌骨５の間には第１幌骨３と第２幌骨５のなす角度が最も広くなった状態を保持するための保持具３３が設けられている。
【００２０】
第３幌骨７は断面が円形の線状材によって形成され、その両端部を含めて全体が幌布３０内に挿入されている。本実施の形態においては、第３幌骨を断面が円形の線状材によって形成することにより、撓みの自由度を高くしている。すなわち、第３幌骨７における逆Ｕ字の上から抑えることで、幅方向に広がり、高さを低くすることができるし、また、前方向へ倒すこともできる。このように、第３幌骨７を断面が円形の線状材のように撓みの自由度の高いもので構成することで、第３幌骨７の上端側を保持部９に挿入しやすく、また幌１を広げる際に第３幌骨７の上端側が保持部９から抜け出しやすくしている。
【００２１】
また、第３幌骨７の両端部はベビーカー本体側に固定されることなく幌布３０内に保持されている。このため、第３幌骨７の両端部は幌布３０が撓むことができる範囲で自由に動くことができる。この点も、第３幌骨７の上端側を保持部９に挿入しやすくしたり、また幌１を広げる際に第３幌骨７の上端側が保持部９から抜け出しやすくしたりすることに寄与している。
【００２２】
〔幌布〕
幌布３０は、第１幌骨３と第２幌骨５との間を覆う前部３０ａと、第２幌骨５と第３幌骨７との間を覆う中間部３０ｂと、第３幌骨７の背面側を覆う後部３０ｃから構成されている。
幌布３０においける背面部の下部にはボタン３５が設けられている。このボタン３５はベビーカーの本体側、より具体的には背面支持枠２７の上辺部に留めるためのものである。
【００２３】
〔支持機構〕
図７、図８に示すように、第１幌骨３と第２幌骨５は端部が角度調整可能に支持機構３１に取り付けられている。支持機構３１は第１支持部３７と、第２支持部３９と、支持管４０とで構成されている。第１支持部３７に第１幌骨３と第２幌骨５が取り付けられている。第１支持部３７の内面側の円周部には、図８に示すように、凹凸の切欠き４１が設けられている。第２支持部３９には、第１支持部３７の切欠き４１に係合可能な凸部４３が所定の間隔で形成されている。
【００２４】
幌１の位置を変える際には第１支持部３７を回動させることで、切欠き４１が凸部４３を乗り越えて回動する。そして、切欠き４１と凸部４３が互いに係合する位置において幌１が支持される。図１では、幌１が手押し杆１９側にある状態を実線で示し、幌１がアームレスト２１側にある状態を二点鎖線で示してある。
なお、図８では切欠き４１と凸部４３を強調して描いているが、第１支持部３７が回動可能な程度の凹凸になっている。
第２支持部３９には管状の支持管４０が設けられており、支持管４０をベビーカー本体２の幌取付部２８に挿入することで幌１をベビーカー本体２に取り付けることができる。支持管４０は幌取付部２８に挿入した状態で軸回りに回転可能になっている。支持管４０を軸回りに回転可能にすることで、ベビーカー本体２を幅方向に折りたたんだ際に支持機構３１に生ずる捩じれを吸収できるようにしている。なお、ベビーカー本体２を幅方向に折りたたんだ際に支持機構３１に生ずる捩じれは、第１幌骨３、第２幌骨５及び第３幌骨７の撓みによっても吸収される。
なお、この例では支持管４０を幌取り付け杆２９に別途設けた幌取付部２８に取り付けるようにしているが、支持管４０を幌取り付け杆２９に直接挿入して取り付けるようにしてもよい。
【００２５】
〔保持部〕
保持部９は、第３幌骨７の湾曲した上端部が挿入されてこれを保持するものである。本実施の形態の保持部９は、幌布３０における中間部３０ｂにおいて第２幌骨５に沿うように、かつ下方に開口４５を有するポケットによって構成されている。
保持部９の他の例としては、ポケットのように上部が閉じていなくてもよく、例えば帯状のベルトのようなものでもよい。ベルトをゴムによって形成してもよい。また、保持部９の他の態様として、第３幌骨７の湾曲した上部を抜き差し可能に保持する保持片のようなものでもよい。
【００２６】
上記のように構成された本実施の形態の動作を説明する。
幌１の開き方として、前部３０ａ、中間部３０ｂが共に開いた状態（全展開状態）（図２、図３参照）、前部３０ａのみが開いた状態（半展開状態）（図４参照）がある。
幌１を半展開状態（図４参照）から全展開状態にするには、幌布３０の後部３０ｃを引っ張るだけでよい。幌布３０を引っ張ることで、第３幌骨７の撓みとポケットの開きによって、ポケットに挿入されていた第３幌骨７の上端の湾曲部が、図６に示す状態から図５に示す状態に至るように保持部９から抜け出し、最終的に図３の状態になる。
【００２７】
幌１を全展開状態から半展開状態にするには、第３幌骨７の湾曲した端部を下方に向けて押さえてポケットに挿入することで、図５に示す状態から図６に示す状態に至り、さらには図４に示されるように第３幌骨７の上端部が保持部９に保持される。
【００２８】
以上のように、本実施の形態のベビーカーの幌１によれば、幌１を半展開の状態から全展開状態にするときに、ボタンやバックル等を外すという操作をすることなく、幌布３０を引っ張るだけでよく、その操作を極めて円滑に行うことができる。
【００２９】
なお、上記の実施の形態においては、幌骨として第１幌骨３、第２幌骨５、第３幌骨７の３本の幌骨で構成し、最も後方に配置される第３幌骨７を可撓性の高いものとした。しかし、本発明はこれに限定されるものではなく、下記のような態様も含む。
例えば、本実施の形態の第１幌骨３、第２幌骨５の後方に第３幌骨７と同様の可撓性の高い、すなわち撓みやすい幌骨を２本以上設けると共に、第２幌骨５の上部の幌布に保持部９を設ける。そして、保持部９には、第２幌骨５と最後方の幌骨との間にある可撓性の高い幌骨の上端部を、最も後方の幌骨の上端部と共に保持部に挿入できるようする。
また、第１幌骨３、第２幌骨５と同様の可撓性の低い、つまり撓みにくい幌骨を３本以上設けて、このような幌骨のうちでもっとも後方にある幌骨の上部の幌布に保持部９を設けるような態様でもよい。
【符号の説明】
【００３０】
１  幌
２  ベビーカー本体
３  第１幌骨
５  第２幌骨
７  第３幌骨
９  保持部
１１  前輪
１３  前脚
１５  後輪
１７  後脚
１９  手押し杆
２１  アームレスト
２３  ガードアーム
２５  シート枠
２７  背面支持枠
２８  幌取付部
２９  幌取り付け杆
３０  幌布
３０ａ  前部
３０ｂ  中間部
３０ｃ  後部
３１  支持機構
３３  保持具
３５  ボタン
３７  第１支持部
３９  第２支持部
４０  支持管
４１  切欠き
４３  凸部
４５  開口
【図１】
0005631784.tif 000002
【図２】
0005631784.tif 000003
【図３】
0005631784.tif 000004
【図４】
0005631784.tif 000005
【図５】
0005631784.tif 000006
【図６】
0005631784.tif 000007
【図７】
0005631784.tif 000008
【図８】
0005631784.tif 000009
【図９】
0005631784.tif 000010